(57)【特許請求の範囲】
【請求項１】
室外空気から捕集された水分を放出部（52）で放出して高湿の空気を生成し、該高湿の空気を結露部（6a）で冷却して加湿水を生成し、加湿水を室内に搬送して該室内を少なくとも加湿する空気調和装置であって、
上記放出部（52）と結露部（6a）との間で空気を循環させて加湿水を生成する
ことを特徴とする空気調和装置。
【請求項２】
室外空気から捕集された水分を放出させて高湿の空気を生成する放出部（52）と、
上記放出部（52）で生成された高湿の空気を冷却して水蒸気を結露させ、加湿水を生成する結露部（6a）と、
該結露部（6a）で生成された加湿水を室内に搬送する送水手段（70）と、
該送水手段（70）からの加湿水を受けて室内を少なくとも加湿する室内ユニット（30）とを備え、
上記放出部（52）と結露部（6a）との間には、放出部（52）で生成された高湿の空気を結露部（6a）に導き、該結露部（6a）で水蒸気が結露した処理済の空気を上記放出部（52）に導いて空気を循環させる循環通路（80）が形成されている
ことを特徴とする空気調和装置。
【請求項３】
請求項２において、
循環通路（80）は、放出部（52）と結露部（6a）との間で空気が循環する循環状態と、処理済の空気を外部に排出し且つ室外空気を放出部（52）に導く非循環状態とに切り換える切換え手段（90）を備えている
ことを特徴とする空気調和装置。
【請求項４】
請求項２において、
結露部（6a）は、高湿の空気と冷媒とを熱交換させ、冷媒の気化熱によって高湿の空気を冷却する熱交換器（62）を備えている
ことを特徴とする空気調和装置。
【発明の詳細な説明】
【０００１】
【発明の属する技術分野】
本発明は、空気調和装置に関し、特に、加湿機構に係るものである。
【０００２】
【従来の技術】
従来より、加湿装置には、特開平８−１２１８２６号公報に開示されているように、吸着ロータを備えているものがある。該加湿装置の吸着ロータは、室外空気から水蒸気を捕集し、この捕集した水分を脱離させて高湿の空気を生成する。この高湿の空気を冷却し、水蒸気を結露させて加湿水を生成し、この加湿水を室内に搬送して該室内を加湿する。
【０００３】
【発明が解決しようとする課題】
上述したように、従来の加湿装置は、室外空気から加湿水を得るので、水道等からの別個の給水手段を設ける必要がない。
【０００４】
しかしながら、上記加湿装置においては、高湿の空気を冷却した後の処理済の空気を外気に単に放出しているため、加湿水の容量が少なくなる場合があり、充分な加湿を行えない事態が生ずるという問題があった。
【０００５】
つまり、室外空気が低温低湿の場合、吸着ロータで吸着する水分量が低下する。加えて、高湿の空気を生成するために吸着ロータの脱離部に供給する空気も室外空気であるため、低湿な状態である。この結果、結露部に導かれる高湿の空気の相対湿度が低下し、結露水量が低下し、加湿水量が不足するという問題があった。
【０００６】
本発明は、斯かる点に鑑みて成されたもので、充分な加湿水を得られるようにし、加湿不足を確実に防止することを目的とするものである。
【０００７】
【課題を解決するための手段】
具体的に、図１に示すように、第１の発明は、室外空気から捕集された水分を放出部（52）で放出して高湿の空気を生成し、該高湿の空気を結露部（6a）で冷却して加湿水を生成し、加湿水を室内に搬送して該室内を少なくとも加湿する空気調和装置である。そして、上記放出部（52）と結露部（6a）との間で空気を循環させて加湿水を生成する構成としている。
【０００８】
また、第２の発明は、室外空気から捕集された水分を放出させて高湿の空気を生成する放出部（52）と、上記放出部（52）で生成された高湿の空気を冷却して水蒸気を結露させ、加湿水を生成する結露部（6a）と、該結露部（6a）で生成された加湿水を室内に搬送する送水手段（70）と、該送水手段（70）からの加湿水を受けて室内を少なくとも加湿する室内ユニット（30）とを備えている。加えて、上記放出部（52）と結露部（6a）との間には、放出部（52）で生成された高湿の空気を結露部（6a）に導き、該結露部（6a）で水蒸気が結露した処理済の空気を上記放出部（52）に導いて空気を循環させる循環通路（80）が形成されている。
【０００９】
また、第３の発明は、第２の発明において、循環通路（80）は、放出部（52）と結露部（6a）との間で空気が循環する循環状態と、処理済の空気を外部に排出し且つ室外空気を放出部（52）に導く非循環状態とに切り換える切換え手段（90）を備えた構成としている。
【００１０】
また、第４の発明は、第２の発明において、結露部（6a）が、高湿の空気と冷媒とを熱交換させ、冷媒の気化熱によって高湿の空気を冷却する熱交換器（62）を備えた構成としている。
【００１１】
すなわち、本発明では、加湿を行う場合、放出部（52）において、結露部（6a）からの処理済の空気が流れ、水分が脱離して処理済の空気に付与され、高湿の空気が生成される。
【００１２】
上記高湿の空気は、結露部（6a）に流れて冷却される。この冷却によって、高湿の空気の水蒸気が結露し、結露水が加湿水となって室内に搬送され、該室内を加湿する。上記結露部（6a）で水蒸気が結露した処理済の空気は、再び放出部（52）に流入し、この空気循環が繰り返される。
【００１３】
一方、第３の発明では、室外空気の水分量が処理済の空気より多いと判断すると、非循環状態とする。この場合、室外空気が放出部（52）に流れ、水分が付与され、高湿の空気が生成される。
【００１４】
上記高湿の空気は、結露部（6a）に流れて冷却される。この冷却によって、高湿の空気の水蒸気が結露し、結露水が加湿水となって室内ユニット（30）に搬送され、室内を加湿する。上記結露部（6a）で水蒸気が結露した処理済の空気は、外部に排気される。
【００１５】
【発明の効果】
したがって、本発明によれば、空気を放出部（52）と結露部（6a）との間で循環させて加湿水を生成するようにしたために、従来に比して多量の加湿水を得ることができ、充分な加湿を確実に行うことができる。
【００１６】
つまり、上記結露部（6a）で水蒸気を結露させた処理済の空気は、結露しきれない水蒸気を含んでおり、ほぼ相対湿度が１００％の高湿状態である。この結果、室外空気が低温低湿の場合、この室外空気を利用するのに比して、放出部（52）で水蒸気が付与された高湿の空気の相対湿度が上昇し、多量の加湿水を得ることができる。
【００１７】
また、第３の発明によれば、循環通路（80）を外気条件によって循環状態と非循環状態とに切り換えるので、最大量の結露水（加湿水）を得ることができる。この結果、充分な加湿を確実に行うことができる。
【００１８】
また、第４の発明によれば、高湿の空気の水蒸気が結露する際に放出する凝縮熱を冷媒に回収し、室内の暖房に利用することができる。この結果、機器効率の向上を図ることができる。
【００１９】
【発明の実施の形態１】
以下、本発明の実施形態１を図面に基づいて詳細に説明する。
【００２０】
図１及び図２に示すように、本実施形態の空気調和装置（10）は、冷房運転と暖房運転とに切り換え可能に構成されると共に、加湿運転を行うように構成されている。
【００２１】
上記空気調和装置（10）は、熱源側ユニットである室外ユニット（20）と、利用側ユニットである室内ユニット（30）とを備える一方、上記室外ユニット（20）には、室内を加湿するための加湿水を生成する加湿水ユニット（40）が一体に形成されている。
【００２２】
上記室外ユニット（20）と室内ユニット（30）との間には、冷媒が循環する冷媒回路（11）が構成されている。該冷媒回路（11）は、圧縮機（21）と四路切換弁（22）と熱源側熱交換器である室外熱交換器（23）と膨張機構である主膨張弁（24）と利用側熱交換器である室内熱交換器（31）とが冷媒配管（12）によって接続されて冷媒循環が可逆に構成されている。尚、上記圧縮機（21）の吸込側には、アキュムレータ（25）が接続されている。
【００２３】
そして、上記室外ユニット（20）には、冷媒回路（11）の圧縮機（21）と四路切換弁（22）と室外熱交換器（23）と主膨張弁（24）とアキュムレータ（25）とが収納されている。尚、上記室外ユニット（20）には、図示しないが、室外ファンが収納されている。
【００２４】
上記室内ユニット（30）には、室内熱交換器（31）が収納されている。尚、上記室内ユニット（30）には、図示しないが、室内ファンが収納されている。
【００２５】
上記加湿水ユニット（40）は、例えば、室外ユニット（20）のケーシング内の上部に収納され、室外空気より加湿水を生成し、該加湿水を室内ユニット（30）に搬送するように構成されている。
【００２６】
上記加湿水ユニット（40）は、高湿の空気の生成手段（50）と、水蒸気の結露手段（60）と、加湿水の送水手段（70）とを備えている。上記生成手段（50）は、空気が流れて水分を吸着する吸着部（51）と、空気が流れて水分を脱離させる脱離部（52）とを備えている。そして、上記吸着部（51）と脱離部（52）とに亘って吸着ロータ（53）が設けられている。
【００２７】
上記吸着部（51）は、吸着ロータ（53）より下流側に吸着ファン（54）が配置され、該吸着ファン（54）が室外空気を吸着部（51）に吸引している。
【００２８】
上記脱離部（52）は、脱離ファン（55）及び加熱ヒータ（56）が近接配置され、水分の放出部を構成している。上記脱離部（52）は、吸着ロータ（53）より上流側に加熱ヒータ（56）が配置される一方、吸着ロータ（53）より下流側に脱離ファン（55）が配置され、該脱離ファン（55）が空気を脱離部（52）に吸引している。
【００２９】
上記吸着ロータ（53）は、所定厚さの円板状に形成され、上記吸着部（51）と脱離部（52）とを横断する状態で配置されている。上記吸着ロータ（53）は、ハニカム状に形成され、多数の空気通路が形成されている。そして、上記吸着部（51）は、室外空気が吸着ロータ（53）を貫通して流れるように構成され、上記脱離部（52）は、空気が吸着ロータ（53）を貫通して流れて高湿の空気を生成するように構成されている。尚、上記吸着ロータ（53）は、モータ（57）にベルト（58）を介して連結され、中心軸周りに回転する。
【００３０】
上記吸着ロータ（53）の表面には、例えば、ゼオライト等の吸着剤が担持されている。この吸着剤は、上記吸着部（51）において、室外空気と接触すると、該室外空気から水分を吸着する。また、上記吸着剤は、脱離部（52）において、空気と接触すると、吸着剤から水分が脱着する。
【００３１】
上記結露手段（60）は、ケース（61）と、該ケース（61）に収納された結露用熱交換器（62）と、結露水である加湿水を貯留する貯留容器（63）とを備えている。そして、上記ケース（61）と結露用熱交換器（62）とによって結露部（6a）が構成されている。上記ケース（61）は、上部に空気の流入口が形成されると共に、下部に空気の流出口が形成されている。そして、上記ケース（61）は、流入口より脱離部（52）からの高湿の空気が導入されるように構成されている。
【００３２】
上記結露用熱交換器（62）は、冷却手段を構成し、冷媒回路（11）に設けられた熱交換器である蒸発器であって、高湿の空気を冷却して該空気の水蒸気を結露させるように構成されている。そして、上記貯留容器（63）は、ケース（61）の下部に接続され、結露用熱交換器（62）で結露した結露水である加湿水を貯留するように構成されている。
【００３３】
上記結露用熱交換器（62）は、図２に示すように、冷媒回路（11）の分岐通路（13）に設けられている。該分岐通路（13）の一端は、主膨張弁（24）と室内熱交換器（31）との間の冷媒配管（12）に接続され、他端は、四路切換弁（22）と圧縮機（21）の吸込側との間の冷媒配管（12）に接続されている。そして、上記分岐通路（13）には、結露用の膨張機構である結露用膨張弁（14）が設けられている。
【００３４】
更に、上記結露用熱交換器（62）は、図３に示すように、フィンアンドチューブ型熱交換器で構成され、多数の冷却フィン（64）を貫通して複数のチューブ（65）が設けられている。そして、上記冷却フィン（64）は、幅の狭い板状に形成され、長手方向が略垂直方向に位置するように結露用熱交換器（62）が配置されている。
【００３５】
上記冷却フィン（64）の表面は、親水処理又は撥水処理が施されている。つまり、結露水の水滴が各冷却フィン（64）の表面に生じると、この水滴が隣り合う冷却フィン（64）に亘って付着し、いわゆるブリッジ現象を起こす。このブリッジ現象が生起すると、水滴が滴下し難くなる。
【００３６】
そこで、上記冷却フィン（64）の表面を親水処理すると、水滴が厚さ方向に、つまり、水滴が隣接する冷却フィン（64）の方向に成長することなく流れ落ちるので、ブリッジ現象を生起することなく水滴が冷却フィン（64）の表面を流下する。この結果、加湿水が迅速に貯留される。
【００３７】
また、上記冷却フィン（64）の表面を撥水処理すると、水滴が大径に成長することなく流れ落ちるので、ブリッジ現象を生起することなく水滴が冷却フィン（64）の表面を流下する。この結果、加湿水が迅速に貯留される。
【００３８】
上記送水手段（70）は、送水管（71）と送水ポンプ（72）とを備えている。
該送水管（71）の一端は、貯留容器（63）に接続され、他端が室内ユニット（30）に接続されている。尚、上記室内ユニット（30）には、ヒータ又は超音波を利用した加湿器が収納され、上記送水手段（70）は、加湿器に加湿水を送水するように構成されている。
【００３９】
上記送水ポンプ（72）は、例えば、渦流式ポンプなどで構成され、低流量で且つ高揚程のポンプで構成されている。
【００４０】
一方、上記生成手段（50）の脱離部（52）と結露手段の結露部（6a）との間には、空気の循環通路（80）が形成されている。つまり、上記生成手段（50）における脱離ファン（55）の吹出口と結露手段（60）におけるケース（61）の上部の流入口との間には、第１の空気ダクト（81）が接続されている。更に、上記結露手段（60）におけるケース（61）の下部の流出口と生成手段（50）における脱離部（52）の上流側との間には、第２の空気ダクト（82）が接続されている。
【００４１】
そして、上記循環通路（80）は、生成手段（50）の脱離部（52）と脱離ファン（55）と第１の空気ダクト（81）と結露手段（60）のケース（61）と第２の空気ダクト（82）とによって形成されている。上記第１の空気ダクト（81）は、高湿の空気を脱離部（52）からケース（61）に導くように構成されている。また、上記第２の空気ダクト（82）は、水蒸気を結露させた後の処理済の空気をケース（61）から脱離部（52）に導くように構成されている。
【００４２】
〈作用〉
次に、上述した空気調和装置（10）の空調動作について説明する。
【００４３】
−暖房加湿運転−
先ず、暖房運転は、四路切換弁（22）が図２の実線状態に切り換わり、圧縮機（21）を駆動して行われる。尚、加湿を行わない場合、結露用膨張弁（14）は全閉に制御されている。
【００４４】
上記圧縮機（21）から吐出した高温高圧のガス冷媒は、室内熱交換器（31）に流れる。該室内熱交換器（31）において、ガス冷媒は、室内空気と熱交換して凝縮し、室内に加温空気が供給されて該室内が暖房される。
【００４５】
上記室内熱交換器（31）で凝縮した液冷媒は、主膨張弁（24）で減圧された後、室外熱交換器（23）に流れ、室外空気と熱交換して蒸発する。この蒸発したガス冷媒は、アキュムレータ（25）を経て圧縮機（21）に戻る。この循環を繰り返して室内の暖房が行われる。
【００４６】
上記暖房時に加湿を行う場合、結露用膨張弁（14）を開くと、上記冷媒回路（11）において、室内熱交換器（31）で凝縮した液冷媒の一部が分岐通路（13）を流れ、結露用膨張弁（14）で減圧した後、結露用熱交換器（62）で蒸発する。その後、このガス冷媒は、室外熱交換器（23）からのガス冷媒と合流して圧縮機（21）に戻る。この循環を繰り返す。
【００４７】
一方、加湿水ユニット（40）において、吸着ファン（54）及び脱離ファン（55）を駆動すると、室外空気が吸着部（51）を流れ、吸着ロータ（53）を流れる。その際、上記吸着ロータ（53）は、室外空気の水蒸気を吸着して捕集する。
【００４８】
上記吸着ロータ（53）は、モータ（57）によって回転し、水分を含んだ部分が脱離部（52）に移動する。該脱離部（52）においては、第２の空気ダクト（82）から加熱ヒータ（56）で加熱された後の処理済の空気が流れる。その際、上記吸着ロータ（53）は、処理済の空気によって加熱されるので、水分が脱離して処理済の空気に付与され、高湿の空気が生成される。
【００４９】
上記高湿の空気は、脱離ファン（55）から第１の空気ダクト（81）を流れ、結露手段（60）のケース（61）に流入し、上記結露用熱交換器（62）で冷却される。この冷却によって、高湿の空気の水蒸気が結露し、結露水が加湿水となって貯留容器（63）に貯留される。
【００５０】
上記結露用熱交換器（62）で水蒸気が結露した処理済の空気は、第２の空気ダクト（82）を流れ、再び上記脱離部（52）に流入し、この空気循環が繰り返される。
【００５１】
一方、上記貯留容器（63）の加湿水は、送水ポンプ（72）の駆動によって室内ユニット（30）に搬送され、加湿器に供給されて室内を加湿する。
【００５２】
−冷房運転−
冷房運転は、四路切換弁（22）が図２の破線状態に切り換わり、圧縮機（21）を駆動して行われる。尚、加湿は行われないので、結露用膨張弁（14）は全閉に制御されている。
【００５３】
上記圧縮機（21）から吐出した高温高圧のガス冷媒は、室外熱交換器（23）に流れる。該室外熱交換器（23）において、ガス冷媒は、室外空気と熱交換して凝縮する。上記室外熱交換器（23）で凝縮した液冷媒は、主膨張弁（24）で減圧された後、室内熱交換器（31）に流れ、室内空気と熱交換して蒸発する。この蒸発したガス冷媒は、アキュムレータ（25）を経て圧縮機（21）に戻る。この循環を繰り返し、室内に冷却空気が供給されて該室内が冷房される。
【００５４】
〈実施形態１の効果〉
以上のように、本実施形態によれば、空気を脱離部（52）と結露部（6a）との間で循環させて加湿水を生成するようにしたために、従来に比して多量の加湿水を得ることができ、充分な加湿を確実に行うことができる。
【００５５】
つまり、上記結露部（6a）で水蒸気を結露させた処理済の空気は、結露しきれない水蒸気を含んでおり、ほぼ相対湿度が１００％の高湿状態である。したがって、室外空気が低温低湿の場合、この室外空気を利用するのに比して、脱離部（52）で水蒸気が付与された高湿の空気の相対湿度が上昇し、多量の加湿水を得ることができる。
【００５６】
特に、水の状態で室内に搬送するので、高湿空気を室内に搬送する方式に比して、配管内の圧力損失を低減することができ、配管長さの自由度を向上させることができる。また、高湿空気を室内に搬送する方式では、加湿ホースの内部で結露し、加湿能力が低下する場合があるが、加湿水を室内に搬送する場合、配管内の結露がなく、加湿能力を確実に維持することができる。加えて、送水管（71）である水配管の配管径を小さくすることができるので、施工性の向上を図ることができる。
【００５７】
また、高湿の空気の水蒸気が結露する際に放出する凝縮熱を冷媒に回収し、室内の暖房に利用することができる。この結果、機器効率の向上を図ることができる。
【００５８】
また、結露用膨張弁（14）の開度を制御することにより、結露用熱交換器（62）を通過する空気の温度を一定することができる。
【００５９】
また、上記分岐通路（13）を冷媒回路（11）の液ラインと圧縮機（21）の吸入側とに亘って接続するので、デフロスト運転時においても高湿の空気の冷却を行うことができる。
【００６０】
また、結露用熱交換器（62）の冷却フィン（64）を略垂直方向に配置するようにしたために、水滴が速やかに滴下するので、加湿水を迅速に貯留容器（63）に貯留することができる。
【００６１】
また、上記冷却フィン（64）の表面を親水処理又は撥水処理するようにしたために、水滴が迅速に滴下するので、加湿水を迅速に貯留容器（63）に貯留することができる。この結果、室内加湿を開始するまでの時間を短縮することができる。
【００６２】
【発明の実施の形態２】
次に、本発明の実施形態２を図面に基づいて詳細に説明する。
【００６３】
本実施形態は、図４に示すように、実施形態１が空気を循環通路（80）で常に循環させていたのに代えて、循環状態と非循環状態とに切り換える切換え手段（90）を設けたものである。
【００６４】
具体的に、上記切換え手段（90）は、第２の空気ダクト（82）の途中に設けられたダンパ（91）と、上記第２の空気ダクト（82）に形成された排気口（92）及び吸気口（93）とより構成されている。上記ダンパ（91）は、バタフライバルブ型に構成され、該ダンパ（91）の両側に排気口（92）と吸気口（93）とが形成されている。
【００６５】
上記ダンパ（91）は、排気口（92）と吸気口（93）を閉塞した際、第２の空気ダクト（82）を連通状態として空気の循環状態とし、排気口（92）と吸気口（93）を開放した際、第２の空気ダクト（82）を遮断状態として空気の非循環状態とする。そして、この非循環状態では、結露部（6a）からの処理済の空気が排気口（92）から外部に排出される一方、室外空気が吸気口（93）より吸い込まれ、脱離部（52）に導かれる。
【００６６】
一方、上記結露手段のケース（61）には、図５に示すように、処理済の空気の温度を検出する出口温度センサ（41）が流出口の近傍に設けられている。上記ケース（61）の外部には、室外空気の温度と湿度とを検出する外気温度センサ（42）と外気湿度センサ（43）とが設けられている。そして、上記出口温度センサ（41）と外気温度センサ（42）と外気湿度センサ（43）の出力信号は、コントローラ（95）に入力されている。
【００６７】
該コントローラ（95）は、判断部（96）とダンパ操作部（97）とが設けられ、外気条件に基づいてダンパ（91）を制御するように構成されている。
【００６８】
つまり、例えば、外気温度が０℃で外気の相対湿度が５０％の外気条件の場合、絶対湿度が０．００１８８（kg／kg）である。結露部（6a）を通過した処理済の空気が、温度２℃で相対湿度１００％の場合、絶対湿度が０．００４３６（kg／kg）である。したがって、処理済の空気は、室外空気の２．３倍の水分を含有している。
【００６９】
このような外気条件においては、室外空気を用いるよりも結露部（6a）を通過した処理済の空気を利用した方が加湿水量が増加する。
【００７０】
一方、逆に、外気が比較的高温高湿な条件においては、室外空気を利用した方が加湿水量が増加する。例えば、外気の乾球温度が７℃で湿球温度が６℃の外気条件の場合、絶対湿度が０．００５３７（kg／kg）である。したがって、結露部（6a）を通過した処理済の空気より室外空気の水分量が多くなる。
【００７１】
そこで、上記コントローラ（95）の判断部（96）は、出口温度センサ（41）と外気温度センサ（42）と外気湿度センサ（43）の出力信号を受けて処理済の空気の水分量と室外空気の水分量とを比較する。そして、上記判断部（96）は、処理済の空気の水分量が多いと循環信号を出力し、室外空気の水分量が多いと非循環信号を出力するように構成されている。
【００７２】
上記コントローラ（95）のダンパ操作部（97）は、判断部（96）が循環信号を出力すると、排気口（92）と吸気口（93）を閉塞して第２の空気ダクト（82）を連通状態とし、判断部（96）が非循環信号を出力すると、排気口（92）と吸気口（93）を開放して第２の空気ダクト（82）を遮断状態とするようにダンパ（91）を制御する。
【００７３】
本実施形態において、暖房時に加湿を行う場合、コントローラ（95）の判断部（96）が、処理済の空気の水分量が多いと判断すると、循環信号を出力し、ダンパ操作部（97）は、ダンパ（91）を制御し、排気口（92）と吸気口（93）を閉塞して第２の空気ダクト（82）を連通状態とする。
【００７４】
この場合、空気が循環通路（80）を循環する一方、先ず、室外空気が生成手段（50）の吸着部（51）を流れ、吸着ロータ（53）を流れる。その際、上記吸着ロータ（53）は、室外空気の水蒸気を吸着して捕集する。
【００７５】
上記吸着ロータ（53）は、モータ（57）によって回転し、水分を含んだ部分が脱離部（52）に移動する。該脱離部（52）においては、第２の空気ダクト（82）から加熱ヒータ（56）で加熱された後の処理済の空気が流れる。その際、上記吸着ロータ（53）から水分が脱離して処理済の空気に付与され、高湿の空気が生成される。
【００７６】
上記高湿の空気は、脱離ファン（55）から第１の空気ダクト（81）を流れ、結露手段（60）のケース（61）に流入し、上記結露用熱交換器（62）で冷却される。この冷却によって、高湿の空気の水蒸気が結露し、結露水が加湿水となって貯留容器（63）に貯留される。
【００７７】
上記結露用熱交換器（62）で水蒸気が結露した処理済の空気は、第２ダクトを流れ、再び脱離部（52）に流入し、この空気循環が繰り返される。
【００７８】
また、上記貯留容器（63）の加湿水は、送水ポンプ（72）の駆動によって室内ユニット（30）に搬送され、加湿器に供給されて室内を加湿する。
【００７９】
一方、コントローラ（95）の判断部（96）が、室外空気の水分量が多いと判断すると、非循環信号を出力し、ダンパ操作部（97）は、ダンパ（91）を制御し、排気口（92）と吸気口（93）を開放して第２の空気ダクト（82）を遮断状態とする。
【００８０】
この場合、先ず、室外空気が生成手段（50）の吸着部（51）を流れ、吸着ロータ（53）を流れる。その際、上記吸着ロータ（53）は、室外空気の水蒸気を吸着して捕集する。
【００８１】
上記吸着ロータ（53）は、モータ（57）によって回転し、水分を含んだ部分が脱離部（52）に移動する。その際、第２の空気ダクト（82）に室外空気が吸気口（93）より導入されるので、該脱離部（52）においては、第２の空気ダクト（82）から加熱ヒータ（56）で加熱された後の室外空気が流れる。その際、上記吸着ロータ（53）から水分が脱離して室外空気に付与され、高湿の空気が生成される。
【００８２】
上記高湿の空気は、脱離ファン（55）から第１の空気ダクト（81）を流れ、結露手段（60）のケース（61）に流入し、上記結露用熱交換器（62）で冷却される。この冷却によって、高湿の空気の水蒸気が結露し、結露水が加湿水となって貯留容器（63）に貯留される。
【００８３】
上記結露用熱交換器（62）で水蒸気が結露した処理済の空気は、第２ダクトの排気口（92）より外部に排出される。
【００８４】
また、上記貯留容器（63）の加湿水は、送水ポンプ（72）の駆動によって室内ユニット（30）に搬送され、加湿器に供給されて室内を加湿する。
【００８５】
したがって、本実施形態によれば、循環通路（80）を外気条件によって循環状態と非循環状態とに切り換えるので、最大量の結露水（加湿水）を得ることができる。この結果、充分な加湿を確実に行うことができる。その他の構成、作用及び効果は、実施形態１と同様である。
【００８６】
【発明の他の実施の形態】
上記実施形態１における結露用熱交換器（62）は、室外熱交換器（23）と別個に設けたが、本発明では、室外熱交換器（23）の一部で結露用熱交換器（62）を構成し、室外熱交換器（23）と結露用熱交換器（62）とを一体に形成してもよい。
【００８７】
また、上記各実施形態においては、冷暖房運転を行う空気調和装置（10）について説明したが、本発明は、加湿機能を有する暖房専用機の空気調和装置であってもよく、また、本発明は、加湿のみを行って空気調和を行う空気調和装置であってもよい。
【図面の簡単な説明】
【図１】本発明の実施形態１の構成を示す概略構成図である。
【図２】実施形態１を示す冷媒回路図である。
【図３】実施形態１の結露用熱交換器を示す斜視図である。
【図４】本発明の実施形態２の構成を示す概略構成図である。
【図５】本発明の実施形態２の要部を拡大して示す概略構成図である。
【符号の説明】
10            空気調和装置
11            冷媒回路
20            室外ユニット
30            室内ユニット
40            加湿水ユニット
50            生成手段
52            脱離部（放出部）
53            吸着ロータ
60            結露手段
6a            結露部
62            結露用熱交換器
70            送水手段
80            循環通路
90            切換え手段
91            ダンパ
【図１】
0004547831.tif 000002
【図２】
0004547831.tif 000003
【図３】
0004547831.tif 000004
【図４】
0004547831.tif 000005
【図５】
0004547831.tif 000006